(57)【要約】【課題】電源供給線の切断の際にスパークが発生することを防ぐこと。【解決手段】電源部１０１は、直流電圧及び検出信号を生成する。電源ライン１１１は、電源部１０１から直流電圧を供給する。検出信号線１１２は、電源部１０１から検出信号をグランドに流す。接続部１０３は、電源ライン１１１及び検出信号線１１２を各々接続または切断するとともに、電源ライン１１１を切断する際に検出信号線１１２を切断する。検出部１０２は、接続部１０３において電源ライン１１１が切断された際に、検出信号線１１２を流れる検出信号の電流変化を検出して、電源部１０１と接続部１０３との間において電源ライン１１１を切断する。【選択図】図１
2012207641.tif 000002
【特許請求の範囲】
【請求項１】
直流電圧及び検出信号を生成する電源部と、
前記電源部から前記直流電圧を供給する電源供給線と、
前記電源部から前記検出信号をグランドに流す検出信号線と、
前記電源供給線により供給される前記直流電圧を交流電圧に変換する変換手段と、
前記変換手段により変換された前記交流電圧により電動モータを駆動して冷媒を圧縮する圧縮機構部と、
前記電源供給線及び前記検出信号線を各々接続または切断する第１の接続手段と、
前記電源部と前記第１の接続手段との間において前記電源供給線を切断する切断手段と、
を具備する電動コンプレッサの駆動装置であって、
前記切断手段は、前記第１の接続手段において前記検出信号線が切断された際の前記検出信号の電流変化を検出して前記電源供給線を切断するように構成され、
前記第１の接続手段は、前記切断手段において前記検出信号線が切断された後に前記電源供給線を切断するように構成される、
電動コンプレッサの駆動装置。
【請求項２】
前記電源部は、前記電源供給線に供給する前記直流電圧を前記検出信号として出力する請求項１記載の電動コンプレッサの駆動装置。
【請求項３】
前記第１の接続手段は、挿抜自在な前記切断手段側の第１のコネクタと、第２のコネクタとから構成され、
前記第１のコネクタは、
前記検出信号線と接続する第１の検出信号用端子と、
前記電源供給線と接続する第１の電源用端子と、
を有し、
前記第２のコネクタは、
前記検出信号線と接続し、前記第１のコネクタと前記第２のコネクタとの挿抜により前記第１の検出信号用端子と接続または非接続となる第２の検出信号用端子と、
前記電源供給線と接続し、前記第１のコネクタと前記第２のコネクタとの挿抜により前記第１の電源用端子と接続または非接続となる第２の電源用端子と、
を有し、
前記第１の電源用端子は、前記第１のコネクタの前記第２のコネクタに対する挿入方向において、前記第１の検出信号用端子よりも突出している請求項１記載の電動コンプレッサの駆動装置。
【請求項４】
通信機能を有する通信手段と、
エアコン制御装置と前記通信手段との間において通信信号を伝送する通信線と、
前記通信線及び前記検出信号線を各々接続または切断するとともに、前記通信線を切断する際に前記検出信号線を切断する第２の接続手段と、
をさらに具備し、
前記切断手段は、前記第１の接続手段または前記第２の接続手段において前記検出信号線が切断された際の前記検出信号の電流変化を検出して、前記電源部と前記第１の接続手段との間において前記電源供給線を切断する請求項１記載の電動コンプレッサの駆動装置。
【請求項５】
前記検出信号線は、前記切断手段、前記第１の接続手段、前記第２の接続手段をこの順で経由してグランドに接続する、請求項４記載の電動コンプレッサの駆動装置。
【請求項６】
前記検出信号線における前記第１の接続手段と前記第２の接続手段との間の電圧を検出する電圧検出手段をさらに具備し、
前記通信手段は、前記電圧検出手段により検出した電圧が閾値以下の場合に、前記第１の接続手段において前記電源供給線が切断されたことを示す報知情報を前記エアコン制御装置に送信し、
前記エアコン制御装置は、前記通信手段より受信した前記報知情報により報知を行う請求項４記載の電動コンプレッサの駆動装置。
【請求項７】
通信機能を有する通信手段と、
エアコン制御装置と前記通信手段との間において通信信号を伝送する通信線と、
前記通信線及び前記検出信号線を各々接続または切断するとともに、前記通信線を切断する際に前記検出信号線を切断する第２の接続手段と、
をさらに具備し、
前記検出信号線は、前記検出信号を前記エアコン制御装置内のグランドに流し、
前記エアコン制御装置は、前記第１の接続手段または前記第２の接続手段において前記検出信号線が切断された際の前記検出信号の電圧変化を検出して、前記電源供給線または前記通信線の切断を報知する請求項１記載の電動コンプレッサの駆動装置。
【発明の詳細な説明】
【技術分野】
【０００１】
本発明は、電源供給線の切断を検出する電動コンプレッサの駆動装置に関する。
【背景技術】
【０００２】
従来、電動コンプレッサの駆動装置において、電動コンプレッサに電源を供給する電源供給線をコネクタにより接続するものが知られている（例えば、特許文献１）。特許文献１によれば、例えば電動コンプレッサの修理または点検の際に、コネクタを抜いて電源供給線を切断して電源部と電動コンプレッサとを切り離すことにより、電動コンプレッサを修理または点検することができる。
【０００３】
特許文献１の電動コンプレッサでは、コネクタにおける電源供給線が切断された場合に、電源の供給を受けていたモータ制御部内の残留電圧を貯留又は放電させることにより、コネクタの残留電圧によって感電することがないようにしている。
【先行技術文献】
【特許文献】
【０００４】
【特許文献１】特開２０１０−９６１２３号公報
【発明の概要】
【発明が解決しようとする課題】
【０００５】
しかしながら、特許文献１においては、電源供給線により電源が供給されている状態でコネクタにおいて電源供給線を切断することになるので、切断の際にコネクタ間でスパークが生じるという問題がある。
【０００６】
本発明の目的は、電源供給線の切断の際にスパークが発生することを防ぐことができる電動コンプレッサの駆動装置を提供することである。
【課題を解決するための手段】
【０００７】
本発明の電動コンプレッサの駆動装置は、直流電圧及び検出信号を生成する電源部と、前記電源部から前記直流電圧を供給する電源供給線と、前記電源部から前記検出信号をグランドに流す検出信号線と、前記電源供給線により供給される前記直流電圧を交流電圧に変換する変換手段と、前記変換手段により変換された前記交流電圧により電動モータを駆動して冷媒を圧縮する圧縮機構部と、前記電源供給線及び前記検出信号線を各々接続または切断する第１の接続手段と、前記電源部と前記第１の接続手段との間において前記電源供給線を切断する切断手段と、を具備する電動コンプレッサの駆動装置であって、前記切断手段は、前記第１の接続手段において前記検出信号線が切断された際の前記検出信号の電流変化を検出して前記電源供給線を切断するように構成され、前記第１の接続手段は、前記切断手段において前記検出信号線が切断された後に前記電源供給線を切断するように構成される。
【発明の効果】
【０００８】
本発明によれば、第１の接続手段は、切断手段において電源供給線が切断された後に前記電源供給線を切断するように構成されるので、第１の接続手段の接続が解除された時点では第１の接続手段には電源が供給されていない。以上により本発明は、電源供給線の切断の際にスパークが発生することを防ぐことができるという効果を奏する。
【図面の簡単な説明】
【０００９】
【図１】本発明の実施の形態１に係る電動コンプレッサの駆動装置の構成を示すブロック図
【図２】本発明の実施の形態１における接続部の好ましい構成を示す図
【図３】本発明の実施の形態２に係る電動コンプレッサの駆動装置の構成を示すブロック図
【図４】本発明の実施の形態３に係る電動コンプレッサの駆動装置の構成を示すブロック図
【図５】本発明の実施の形態４に係る電動コンプレッサの駆動装置の構成を示すブロック図
【発明を実施するための形態】
【００１０】
以下、本発明の実施の形態について、図面を参照して詳細に説明する。
【００１１】
（実施の形態１）
＜電動コンプレッサの駆動装置の構成＞
図１は、本発明の実施の形態１に係る電動コンプレッサの駆動装置１００の構成を示すブロック図である。
【００１２】
インバータＥＣＵ１５０は、制御部１０４と、駆動回路１０５と、パワー素子１０６とを有する。インバータＥＣＵ１５０は、電動モータ１０７の駆動を制御する。圧縮機構部１６０は、電動モータ１０７を有する。圧縮機構部１６０は、電動モータ１０７を駆動して冷媒を圧縮する。
【００１３】
電源ライン１１１は、グランド線１１１ａと電源供給線１１１ｂとから構成される。電源ライン１１１は、電源部１０１からの直流電圧を、パワー素子１０６に供給する。電源部１０１と、接続部１０３と、パワー素子１０６とは、この順番でグランド線１１１ａにより接続されている。電源部１０１と、検出部１０２と、接続部１０３と、パワー素子１０６とは、この順番で電源供給線１１１ｂにより接続されている。電源供給線１１１ｂには、検出部１０２においてスイッチ１０２ｂが設けられている。
【００１４】
電源部１０１と、検出部１０２と、接続部１０３とは、この順番で検出信号線１１２により接続されている。検出信号線１１２は、インバータＥＣＵ１５０において、抵抗１１３を介して接地される。検出信号線１１２は、電源部１０１により生成した検出信号をグランドに流す。検出信号線１１２には、検出部１０２においてコイル１０２ａが設けられている。
【００１５】
電源部１０１は、直流電圧を生成し、生成した直流電圧を電源ライン１１１により、検出部１０２へ供給する。グランド線１１１ａは、電源部１０１の接地電位に接続される。電源部１０１は、検出信号を生成し、生成した検出信号を検出信号線１１２により検出部１０２へ出力する。
【００１６】
電源部１０１は、電源ライン１１１に供給する直流電圧を、検出信号として出力することができる。電源部１０１は、検出信号として、電源ライン１１１に供給する直流電圧より低い電圧（例えば、鉛蓄電池の１２Ｖの電圧）を出力することもできる。この場合には、別途の信号を生成する必要がないため有利である。
【００１７】
検出部１０２は、電源部１０１と接続部１０３との間において直列に挿入される。検出部１０２は、電源部１０１と接続部１０３との間において、コイル１０２ａとスイッチ１０２ｂとが並列に接続される回路構成を有する。コイル１０２ａは、検出信号線１１２に設けられる。スイッチ１０２ｂは、電源供給線１１１ｂに設けられる。
【００１８】
検出部１０２は、検出信号線１１２により、電源部１０１から入力した検出信号を接続部１０３へ出力する。検出部１０２は、接続部１０３において検出信号線１１２が切断されることによるコイル１０２ａにおける電流変化を検出して、スイッチ１０２ｂをオフにする。例えば、検出部１０２は、接続部１０３において検出信号線１１２が切断されることによりコイル１０２ａの電流がゼロに変化し、スイッチ１０２ｂをオフにする。これにより、検出部１０２は、電源ライン１１１を切断し、電源部１０１から接続部１０３に供給される直流電圧を遮断する。
【００１９】
検出部１０２は、コイル１０２ａの電流がゼロに変化しない場合には、スイッチ１０２ｂをオンにする。これにより、検出部１０２は、電源供給線１１１ｂにより、電源部１０１からの直流電圧を接続部１０３へ供給する。
【００２０】
具体的には、検出部１０２は、例えばリレーであり、接続部１０３が接続中の場合には、コイル１０２ａに電流が流れ、スイッチ１０２ｂはオンしている。即ち、スイッチ１０２ｂは、磁石を有し、バネ等でオフする側に付勢されている。コイル１０２ａに電流が流れている場合には、コイル１０２ａの磁力とスイッチ１０２ｂの磁石とが引き合ってスイッチ１０２ｂはオンしている。一方、接続部１０３が接続解除されている場合には、コイル１０２ａに流れている電流が遮断され、スイッチ１０２ｂはオフする。即ち、コイル１０２ａに流れている電流が遮断されると、コイル１０２ａの磁力がなくなり、スイッチ１０２ｂはバネ力でオフする方向へ動く。
【００２１】
接続部１０３は、検出部１０２とパワー素子１０６との間において、電源ライン１１１及び検出信号線１１２を各々接続または切断する。接続部１０３は、互いに挿抜自在な検出部１０２側の電源コネクタ１０３ａと、電源コネクタ１０３ｂとにより構成される。接続部１０３は、電源コネクタ１０３ａと電源コネクタ１０３ｂとの接続を解除することにより、検出信号線１１２を切断した後に電源ライン１１１を切断する。
【００２２】
接続部１０３は、電源ライン１１１が接続されている場合に、電源供給線１１１ｂにより、検出部１０２を介して電源部１０１から供給される直流電圧をパワー素子１０６へ供給する。検出信号線１１２が接続されている場合において、検出信号線１１２により、検出部１０２から接続部１０３に入力した検出信号は、抵抗１１３を介してグランドに流れる。抵抗１１３は、検出信号線１１２に流れる電流を抑制するための抵抗である。なお、接続部１０３の詳細な構成については、後述する。
【００２３】
制御部１０４は、駆動回路１０５に対して、電動モータ１０７の駆動開始または駆動停止の制御を行う。
【００２４】
駆動回路１０５は、制御部１０４の制御に従って、パワー素子１０６を通電または遮断する制御を行う。
【００２５】
パワー素子１０６は、駆動回路１０５の制御に従って、電源供給線１１１ｂにより、接続部１０３から供給される直流電圧を通電または遮断する。これにより、パワー素子１０６は、直流電圧を交流電圧に変換して電動モータ１０７に供給する。
【００２６】
電動モータ１０７は、パワー素子１０６からの交流電圧により駆動して冷媒を圧縮する処理を行う。
【００２７】
＜接続部の構成＞
図２は、接続部１０３の構成を示す図である。
【００２８】
電源コネクタ１０３ａは、検出信号線１１２に接続される検出信号用接続部である検出信号用端子Ｐ１と、電源供給線１１１ｂに接続される電源用プラス側端子Ｐ２と、グランド線１１１ａに接続される電源用マイナス側端子Ｐ３とを有する。電源用プラス側端子Ｐ２及び電源用マイナス側端子Ｐ３は、電源用接続部を構成する。電源コネクタ１０３ａは検出部１０２の側に接続され、電源コネクタ１０３ｂは、電源コネクタ１０３ａと接続される。
【００２９】
電源コネクタ１０３ｂは、検出信号線１１２に接続される検出信号用接続部である検出信号用端子Ｓ１と、電源供給線１１１ｂに接続される電源用プラス側端子Ｓ２と、グランド線１１１ａに接続される電源用マイナス側端子Ｓ３とを有する。電源用プラス側端子Ｓ２及び電源用マイナス側端子Ｓ３は、電源用接続部を構成する。
【００３０】
検出信号用端子Ｐ１と検出信号用端子Ｓ１とは、何れか一方がプラグで何れか他方がソケットである。電源用プラス側端子Ｐ２と電源用プラス側端子Ｓ２とは、何れか一方がプラグで何れか他方がソケットである。電源用マイナス側端子Ｐ３と電源用マイナス側端子Ｓ３とは、何れか一方がプラグで何れか他方がソケットである。
【００３１】
検出信号用端子Ｐ１と検出信号用端子Ｓ１とを接続することにより、検出信号線１１２が接続され、検出信号用端子Ｐ１と検出信号用端子Ｓ１との接続を解除することにより、検出信号線１１２が切断される。電源用プラス側端子Ｐ２と電源用プラス側端子Ｓ２とを接続するとともに、電源用マイナス側端子Ｐ３と電源用マイナス側端子Ｓ３とを接続することにより、電源ライン１１１が接続される。電源用プラス側端子Ｐ２と電源用プラス側端子Ｓ２との接続を解除するとともに、電源用マイナス側端子Ｐ３と電源用マイナス側端子Ｓ３との接続を解除することにより、電源ライン１１１が切断される。
【００３２】
電源用プラス側端子Ｐ２及び電源用マイナス側端子Ｐ３は、検出信号用端子Ｐ１よりも、嵌合方向に突出している。即ち、電源用プラス側端子Ｐ２及び電源用マイナス側端子Ｐ３は、電源コネクタ１０３ａの電源コネクタ１０３ｂに対する挿入方向において、検出信号用端子Ｐ１よりも突出している。
【００３３】
＜接続部における電源供給線及び検出信号線の切断のタイミング＞
電源コネクタ１０３ａと電源コネクタ１０３ｂとの接続を解除する際に、電源用プラス側端子Ｐ２、Ｓ２及び電源用マイナス側端子Ｐ３、Ｓ３よりも、検出信号用端子Ｐ１、Ｓ１の方が先に切断される。
【００３４】
従って、電源ライン１１１が切断する前に、検出信号線１１２の切断を検出することができる。
【００３５】
＜電動コンプレッサの駆動装置の動作＞
接続部１０３において検出信号線１１２が切断された場合に、コイル１０２ａにおける電流が変化する。検出部１０２は、この電流の変化を検出して、スイッチ１０２ｂをオフにする。例えば、検出部１０２は、検出信号線１１２の電源コネクタ１０３ａが切断した場合に、スイッチ１０２ｂをオフにする。
【００３６】
これにより、電源部１０１から接続部１０３に供給されていた直流電圧は、検出部１０２により遮断される。
【００３７】
そして、その後、接続部１０３において電源供給線１１１ｂ及びグランド線１１１ａが切断される。
【００３８】
＜本実施の形態の効果＞
本実施の形態によれば、電源部と接続部との間に設けられた検出部により接続部における検出信号線の切断を検出した際に、検出部において電源供給線を切断し、その後接続部において電源供給線が切断されるので、接続部における電源供給線の切断の際にスパークが発生することを防ぐことができる。
【００３９】
（実施の形態２）
＜電動コンプレッサの駆動装置の構成＞
図３は、本発明の実施の形態２に係る電動コンプレッサの駆動装置３００の構成を示すブロック図である。
【００４０】
図３に示す電動コンプレッサの駆動装置３００は、図１に示す実施の形態１に係る電動コンプレッサの駆動装置１００に対して、エアコンＥＣＵ３０１と、通信部３０３と、接続部３０２と、通信線３１３とを追加し、検出信号線１１２の代わりに検出信号線３１２を有するものである。なお、図３において、図１と同一構成である部分には同一の符号を付してその説明を省略する。
【００４１】
インバータＥＣＵ３５０は、制御部１０４と、駆動回路１０５と、パワー素子１０６と、通信部３０３とを有する。インバータＥＣＵ３５０は、電動モータ１０７の駆動を制御する。
【００４２】
電源部１０１と、検出部１０２と、接続部１０３と、接続部３０２とは、この順番で検出信号線３１２により接続されている。検出信号線３１２は、インバータＥＣＵ３５０において、抵抗３１４を介して接地されている。抵抗３１４は、検出信号線３１２に流れる電流を抑制するための抵抗である。検出信号線３１２は、電源部１０１から出力される検出信号をインバータＥＣＵ３５０内のグランドに流す。検出信号線３１２には、検出部１０２においてコイル１０２ａが設けられ、インバータＥＣＵ３５０において抵抗３１４が設けられている。
【００４３】
エアコンＥＣＵ３０１と、接続部３０２と、通信部３０３とは、通信線３１３により接続されている。通信線３１３は、エアコンＥＣＵ３０１と通信部３０３との間で行われる通信の信号を伝送する。
【００４４】
エアコンＥＣＵ３０１は、ユーザの操作により、電動モータ１０７の駆動開始を指示する駆動ＯＮのエアコン制御信号、電動モータ１０７の駆動停止を指示する駆動ＯＦＦのエアコン制御信号、または、電動モータ１０７の回転数を指示するエアコン制御信号を接続部３０２へ出力する。
【００４５】
接続部３０２は、エアコンＥＣＵ３０１と通信部３０３との間において、通信線３１３及び検出信号線３１２を各々接続または切断する。接続部３０２は、互いに挿抜自在な通信コネクタ３０２ａと通信コネクタ３０２ｂとにより構成される。接続部３０２は、通信コネクタ３０２ａと通信コネクタ３０２ｂとの接続が解除されることにより、通信線３１３を切断する。接続部３０２は、通信線３１３の切断の際に検出信号線３１２を切断する。
【００４６】
接続部３０２は、通信線３１３が接続されている際に、エアコンＥＣＵ３０１から入力したエアコン制御信号を通信部３０３へ出力する。
【００４７】
通信部３０３は、通信機能を有し、通信線３１３により、接続部３０２から入力したエアコン制御信号を解析し、解析結果を制御部１０４へ出力する。
【００４８】
制御部１０４は、通信部３０３からの解析結果に基づいて、駆動回路１０５に対して、電動モータ１０７の駆動開始または駆動停止の制御を行う。
【００４９】
＜電動コンプレッサの駆動装置の動作＞
接続部１０３または接続部３０２において検出信号線３１２が切断された場合に、コイル１０２ａにおける電流が変化する。検出部１０２は、この電流の変化を検出して、スイッチ１０２ｂをオフにする。例えば、検出部１０２は、検出信号線３１２の電源コネクタ１０３ａが切断した場合に、スイッチ１０２ｂをオフにする。
【００５０】
これにより、電源部１０１から接続部１０３に供給されていた直流電圧は、検出部１０２により遮断される。
【００５１】
そして、その後、接続部１０３において電源供給線１１１ｂ及びグランド線１１１ａが切断される。
【００５２】
＜本実施の形態の効果＞
本実施の形態によれば、上記の実施の形態１の効果に加えて、通信線の接続部において通信線が切断された際に、検出部において電源供給線を切断するので、エアコンＥＣＵによるインバータＥＣＵに対する制御が不能な状態において、インバータＥＣＵに電源が供給されることを防ぐことができる。
【００５３】
（実施の形態３）
＜電動コンプレッサの駆動装置の構成＞
図４は、本発明の実施の形態３に係る電動コンプレッサの駆動装置４００の構成を示すブロック図である。
【００５４】
図４に示す電動コンプレッサの駆動装置４００は、図３に示す実施の形態２に係る電動コンプレッサの駆動装置３００に対して、エアコンＥＣＵ３０１の代わりにエアコンＥＣＵ４０１を有し、検出信号線３１２の代わりに検出信号線４１２を有するものである。なお、図４において、図３と同一構成である部分には同一の符号を付してその説明を省略する。
【００５５】
電源部１０１と、検出部１０２と、接続部１０３と、接続部３０２と、エアコンＥＣＵ４０１とは、この順番で検出信号線４１２により接続されている。検出信号線４１２は、エアコンＥＣＵ４０１において、抵抗４１４を介して接地されている。抵抗４１４は、検出信号線４１２に流れる電流を抑制するための抵抗である。検出信号線４１２は、電源部１０１から出力される検出信号をエアコンＥＣＵ４０１内のグランドに流す。検出信号線４１２には、検出部１０２においてコイル１０２ａが設けられ、エアコンＥＣＵ４０１において抵抗４１４が設けられている。
【００５６】
エアコンＥＣＵ４０１は、抵抗４１４における電圧変化を検出することにより、接続部１０３における電源ライン１１１と、接続部３０２における通信線３１３との何れか一方または双方が切断されていることを検出する。例えば、エアコンＥＣＵ４０１は、抵抗４１４における電圧変化量が閾値未満になった場合に、接続部１０３における電源ライン１１１と、接続部３０２における通信線３１３との何れか一方または双方が切断されていることを検出する。
【００５７】
抵抗４１４における電圧変化量が閾値未満になった場合とは、例えば、電源部１０１が検出信号として電源ライン１１１に供給する直流電圧を出力している場合は、この直流電圧であったものが、所定の閾値未満の電圧である略グランドの電圧に変化した場合である。
【００５８】
エアコンＥＣＵ４０１は、切断を検出した際に、その旨を表示または音声により報知する。なお、エアコンＥＣＵ４０１におけるその他の構成は、上記の実施の形態２の構成と同一であるので、その説明を省略する。
【００５９】
＜電動コンプレッサの駆動装置の動作＞
接続部１０３における検出信号線４１２と、接続部３０２における検出信号線４１２との何れか一方または双方が切断された場合に、抵抗４１４における電圧が変化する。エアコンＥＣＵ４０１は、この電圧の変化を検出することにより、接続部１０３における電源供給線１１１ｂと、接続部３０２における通信線３１３との何れか一方または双方が切断されたことを報知する。例えば、エアコンＥＣＵ４０１は、抵抗４１４における電圧変化量が閾値未満になった場合に、接続部１０３における電源供給線１１１ｂと、接続部３０２における通信線３１３との何れか一方または双方が切断されたことを報知する。
【００６０】
なお、その他の動作は、上記の実施の形態２と同一であるので、その説明を省略する。また、検出部１０２の動作は、上記の実施の形態２と同一であるので、その説明を省略する。
【００６１】
＜本実施の形態の効果＞
本実施の形態によれば、上記の実施の形態２の効果に加えて、ユーザが操作するエアコンＥＣＵにおいて、電源供給線の切断または通信線の切断を検出してその旨を報知するので、ユーザに対して早期に報知することができる。
【００６２】
（実施の形態４）
＜電動コンプレッサの駆動装置の構成＞
図５は、本発明の実施の形態４に係る電動コンプレッサの駆動装置５００の構成を示すブロック図である。
【００６３】
図５に示す電動コンプレッサの駆動装置５００は、図１に示す実施の形態１に係る電動コンプレッサの駆動装置１００に対して、エアコンＥＣＵ５０１と、通信部５０３と、接続部５０２と、電圧検出部５０４と、通信線５１３とを追加し、検出信号線１１２の代わりに検出信号線５１２を有するものである。なお、図５において、図１と同一構成である部分には同一の符号を付してその説明を省略する。
【００６４】
インバータＥＣＵ５５０は、制御部１０４と、駆動回路１０５と、パワー素子１０６と、通信部５０３と、電圧検出部５０４とを有する。インバータＥＣＵ５５０は、電動モータ１０７の駆動を制御するとともに、接続部１０３が非接続であることをエアコンＥＣＵ５０１に報知する。
【００６５】
電源部１０１と、検出部１０２と、接続部１０３と、接続部５０２とは、この順番で検出信号線５１２により接続されている。検出信号線５１２は、インバータＥＣＵ５５０において、抵抗５１４を介して接地されている。抵抗５１４は、検出信号線５１２に流れる電流を抑制するための抵抗である。検出信号線５１２は、電源部１０１から出力される検出信号をインバータＥＣＵ５５０内のグランドに流す。検出信号線５１２には、検出部１０２においてコイル１０２ａが設けられ、インバータＥＣＵ５５０において抵抗５１４が設けられている。
【００６６】
エアコンＥＣＵ５０１は、ユーザの操作により、電動モータ１０７の駆動開始を指示する駆動ＯＮのエアコン制御信号、または電動モータ１０７の駆動停止を指示する駆動ＯＦＦのエアコン制御信号を、接続部５０２を介して通信部５０３へ出力する。また、エアコンＥＣＵ５０１は、接続部５０２から報知情報を取得し、接続部１０３における電源ライン１１１が切断された旨を報知する。
【００６７】
接続部５０２は、エアコンＥＣＵ５０１と通信部５０３との間において、通信線５１３及び検出信号線５１２を各々接続または切断する。また、接続部５０２は、互いに挿抜自在な通信コネクタ５０２ａと通信コネクタ５０２ｂとにより構成される。また、接続部５０２は、通信コネクタ５０２ａと通信コネクタ５０２ｂとの接続が解除されることにより、通信線５１３を切断する。また、接続部５０２は、通信線５１３の切断の際に信号検出ライン５１２を切断する。
【００６８】
また、接続部５０２は、通信線５１３が接続されている際に、通信線５１３により、エアコンＥＣＵ５０１から入力したエアコン制御信号を通信部５０３へ出力する。また、接続部５０２は、通信線５１３が接続されている際に、通信線５１３により、通信部５０３から入力した報知情報をエアコンＥＣＵ５０１へ出力する。
【００６９】
通信部５０３は、通信機能を有し、接続部５０２から入力したエアコン制御信号を解析し、解析結果を制御部１０４へ出力する。通信部５０３は、電圧検出部５０４から判定結果を取得した際に、接続部１０３における電源供給線１１１ｂが切断されたことを示す報知情報を生成し、生成した報知情報を接続部５０２へ出力する。
【００７０】
電圧検出部５０４は、検出信号線５１２における接続部１０３と接続部５０２との間の電圧を検出する。また、電圧検出部５０４は、検出した電圧が閾値以下の場合に、接続部１０３の接続が解除され、接続部１０３における検出信号線５１２が切断されたものと判定し、判定結果を通信部５０３へ出力する。
【００７１】
電圧検出部５０４における検出した電圧が閾値以下になった場合とは、例えば、電源部１０１が検出信号として電源供給線１１１ｂに供給する直流電圧を出力している場合は、この直流電圧であったものが、所定の閾値未満の電圧である略グランドの電圧に変化した場合である。
【００７２】
＜電動コンプレッサの駆動装置の動作＞
例えば、検出部１０２は、接続部１０３または接続部５０２において検出信号線５１２が切断されることによりコイル１０２ａの電流がゼロに変化し、スイッチ１０２ｂをオフにする。
【００７３】
これにより、電源部１０１から接続部１０３に供給されていた直流電圧は、検出部１０２により遮断される。
【００７４】
そして、接続部１０３において検出信号線５１２が切断されている場合には、検出部１０２により電源供給線１１１ｂが切断された後に、接続部１０３において電源供給線１１１ｂ及びグランド線１１１ａが切断される。
【００７５】
一方、接続部１０３において検出信号線５１２が切断された場合に、電圧検出部５０４において検出した電圧は閾値以下になる。これにより、電圧検出部５０４は、接続部１０３において電源供給線１１１ｂが切断されたものと判定し、判定結果を通信部５０３へ出力する。通信部５０３は、接続部１０３における電源供給線１１１ｂが切断されていることを示す報知情報を、接続部５０２を介してエアコンＥＣＵ５０１へ出力する。そして、エアコンＥＣＵ５０１は、接続部１０３における電源供給線１１１ｂが切断されていることをユーザに報知する。
【００７６】
＜本実施の形態の効果＞
本実施の形態によれば、上記の実施の形態１の効果に加えて、電源供給線の接続部において検出信号線が切断された際に、電源供給線が切断されたことをエアコンＥＣＵにより報知するので、ユーザに対して感電を防ぐための注意喚起を行うことができる。
【産業上の利用可能性】
【００７７】
本発明にかかる電動コンプレッサの駆動装置は、電源供給線の切断を検出するのに好適である。
【符号の説明】
【００７８】
１００  電動コンプレッサの駆動装置
１０１  電源部
１０２  検出部
１０２ａ  コイル
１０２ｂ  スイッチ
１０３  接続部
１０３ａ、１０３ｂ  電源コネクタ
１０４  制御部
１０５  駆動回路
１０６  パワー素子
１０７  電動モータ
１１１  電源ライン
１１２  検出信号線
１１３  抵抗
１５０  インバータＥＣＵ
１６０  圧縮機構部
【図１】
2012207641.tif 000003
【図２】
2012207641.tif 000004
【図３】
2012207641.tif 000005
【図４】
2012207641.tif 000006
【図５】
2012207641.tif 000007